(57)【要約】      （修正有）【課題】噴出される液体粒子を微細にして皮膚に吸収され易くすると共に、ユーザーが液体を皮膚にスプレーする必要性の有無を判断することが可能な皮膚測定機能付き噴霧装置を提供する。【解決手段】ａ）開口１１と、開口と連通し、噴霧対象の液体が収容される収容空間とを備える容器、ｂ）開口に設けられて液体に接触する圧電発振子を有し、圧電発振子による高周波振動により液体を液状粒子として容器の外部に排出する噴霧口３０、ｃ）容器の外面に設けられたディスプレイ４０、ｄ）容器の外部に面して設けられて、ディスプレイと電気的に接続された第１電極５１と第２電極５２とを備えた測定電極ユニット５０、を有する。測定電極ユニットが、皮膚に接触すると、当該皮膚により第１電極と第２電極の間で導電経路を形成し、導電経路により当該皮膚の生理的インピーダンスを測定し、当該皮膚の含水量及び皮膚弾力性に換算してディスプレイに表示する。【選択図】図１
0003196599.tif 000002
【実用新案登録請求の範囲】
【請求項１】
開口と、該開口と連通し、噴霧対象の液体が収容される収容空間と、を備える容器と、
前記開口に設けられて前記液体に接触する圧電発振子を有し、該圧電発振子による高周波振動により、前記液体を液状粒子として前記容器の外部に排出する噴霧口と、
前記容器の外面に設けられたディスプレイと、
前記容器の外部に面して設けられて、前記ディスプレイと電気的に接続された第１電極と第２電極とを備えた測定電極ユニットと、
を有する皮膚測定機能付き噴霧装置であって、
前記測定電極ユニットが、皮膚に接触すると、当該皮膚により前記第１電極と前記第２電極の間で導電経路を形成し、該導電経路により当該皮膚の生理的インピーダンスを測定し、当該皮膚の含水量及び皮膚弾力性に換算して前記ディスプレイに表示することを特徴とする皮膚測定機能付き噴霧装置。
【請求項２】
前記容器は、ヘッド部と、ケース部と、液体収容部とでなり、前記開口は、前記ヘッド部に位置し、前記ケース部は第１開口を有し、前記ヘッド部は、前記ケース部の前記第１開口に摺動可能に嵌められ、前記液体収容部は、前記ケース部の内部に組み込まれ、前記第１開口と連通する第２開口を有し、前記収容空間は、前記液体収容部の内部に位置し、前記第２開口と連通することを特徴とする請求項１に記載の皮膚測定機能付き噴霧装置。
【請求項３】
前記ヘッド部は、前記ケース部の前記第１開口に摺動可能に嵌められ、前記ヘッド部と前記ケース部の間には、前記噴霧口を前記第１開口から前記ケース部内に進入する第１位置と、前記噴霧口を前記第１開口から外部に移動して前記ケース部の外部に位置する第２位置と、を有することを特徴とする請求項２に記載の皮膚測定機能付き噴霧装置。
【請求項４】
前記ヘッド部は、更に、前記噴霧口を前記第１位置と前記第２位置の間に移動するための回転具を有し、該回転具は、前記ヘッド部の前記ケース部から遠ざかった側に設けられて、該ヘッド部から突出することを特徴とする請求項３に記載の皮膚測定機能付き噴霧装置。
【請求項５】
更に、毛細管部を有し、該毛細管部は、前記収容空間に設けられて、その一端部が液体と接触し、他端部が噴霧口に延びて、毛細現象により前記液体が前記圧電発振子に送られることを特徴とする請求項１に記載の皮膚測定機能付き噴霧装置。
【請求項６】
更に、前記ディスプレイと電気的に接続された電力ユニットと、前記容器の外部に取付けられて前記電力ユニットと電気的に接続されたユニバーサル・シリアル・バスと、を有することを特徴とする請求項１に記載の皮膚測定機能付き噴霧装置。
【請求項７】
前記ディスプレイは、水分表示域と、弾性表示域と、電量表示域と、を有することを特徴とする請求項１に記載の皮膚測定機能付き噴霧装置。
【考案の詳細な説明】
【技術分野】
【０００１】
本考案は、噴霧装置に関し、特に、皮膚測定機能付き噴霧装置に関するものである。
【背景技術】
【０００２】
皮膚が乾燥しやすい人（特に、女性）は、エアコンを使用している部屋に長時間滞在したり、湿度の低い空気中に長時間居ると肌荒れになることが多い。そこで、皮膚に液体を適時スプレーすることにより、皮膚の乾燥を緩和し、皮膚にひびが入ることを防止することが可能である。このため、保湿商品の販売がブームとなって、これらの液体を収容する噴霧装置の改良が行われている。
【０００３】
例えば、台湾実用新案Ｍ４８４９５６号（特許文献１）では、携帯用噴霧器が提案された。この携帯用噴霧器は、容器、加圧装置、及び噴霧装置を含む構成である。容器は、内部に収容室が形成され、第１端部と第２端部とでなっている。加圧装置は、容器の第１端部に設けられ、外部の空気を容器の収容室に送ることができる。噴霧装置は、ノズルと、圧力逃し弁とでなり、ノズルは、容器の第２端部に設けられている。収容室に収容された液体は、圧力逃し弁を開閉することにより、ノズルを経由して外部に噴出することが可能である。これにより、構造が簡単となり、作製が容易となり、破損し難く、コンパクトで携帯しやすく、操作も容易となる。
しかしながら、上記の携帯用噴霧器は、加圧によってノズルから液体を押すという方式であるため、噴出される液体の粒子が大きく、皮膚に吸収され難いという問題があった。
【０００４】
また、特開２０１３−１４３９９３号には、超音波振動子により霧化して小さい液体粒子を発生させ、ファンにより噴出口から外方に噴霧する噴霧器が提案されている（特許文献２）。
【先行技術文献】
【特許文献】
【０００５】
【特許文献１】台湾実用新案Ｍ４８４９５６号公報
【特許文献２】特開２０１３−１４３９９３号公報
【考案の概要】
【考案が解決しようとする課題】
【０００６】
本考案の目的は、噴出される液体粒子を微細にして皮膚に吸収され易くすると共に、ユーザーが液体を皮膚にスプレーする必要性の有無を判断することが可能な皮膚測定機能付き噴霧装置を提供することにある。
【課題を解決するための手段】
【０００７】
本考案の皮膚測定機能付き噴霧装置によると、ａ）開口と、開口と連通し、噴霧対象の液体が収容される収容空間とを備える容器、ｂ）開口に設けられて液体に接触する圧電発振子を有し、圧電発振子による高周波振動により液体を液状粒子として容器の外部に排出する噴霧口、ｃ）容器の外面に設けられたディスプレイ、ｄ）容器の外部に面して設けられて、ディスプレイと電気的に接続された第１電極と第２電極とを備えた測定電極ユニット、を有する皮膚測定機能付き噴霧装置であって、測定電極ユニットが、皮膚に接触すると、当該皮膚により第１電極と第２電極の間で導電経路を形成し、導電経路により当該皮膚の生理的インピーダンスを測定し、当該皮膚の含水量及び皮膚弾力性に換算してディスプレイに表示することを特徴とする。
【０００８】
本考案の皮膚測定機能付き噴霧装置によると、容器は、ヘッド部と、ケース部と、液体収容部とでなり、開口は、ヘッド部に位置し、ケース部は第１開口を有し、ヘッド部は、ケース部の第１開口に摺動可能に嵌められ、液体収容部は、ケース部の内部に組み込まれ、第１開口と連通する第２開口を有し、収容空間は、液体収容部の内部に位置し、第２開口と連通することを特徴とする。
【０００９】
本考案の皮膚測定機能付き噴霧装置によると、ヘッド部は、ケース部の第１開口に摺動可能に嵌められ、ヘッド部とケース部の間には、噴霧口を第１開口からケース部内に進入する第１位置と、噴霧口を第１開口から外部に移動してケース部の外部に位置する第２位置とを有することを特徴とする。
【００１０】
本考案の皮膚測定機能付き噴霧装置によると、ヘッド部は、更に、噴霧口を第１位置と第２位置の間に移動するための回転具を有し、回転具は、ヘッド部のケース部から遠ざかった側に設けられて、ヘッド部から突出することを特徴とする。
【００１１】
本考案の皮膚測定機能付き噴霧装置によると、更に、毛細管部を有し、毛細管部は、収容空間に設けられて、その一端部が液体と接触し、他端部が噴霧口に延びて、毛細現象により液体が圧電発振子に送られることを特徴とする。
【００１２】
本考案の皮膚測定機能付き噴霧装置によると、この噴霧装置は、更に、ディスプレイと電気的に接続された電力ユニットと、容器の外部に取付けられて電力ユニットと電気的に接続されたユニバーサル・シリアル・バスとを有することを特徴とする。
【００１３】
本考案の皮膚測定機能付き噴霧装置によると、ディスプレイは、水分表示域と、弾性表示域と、電量表示域と、を有することを特徴とする。
【考案の効果】
【００１４】
本考案の皮膚測定機能付き噴霧装置によれば、次のような効果がある。
（１）圧電発振子を採用するため、圧電発振子により液体が微細な粒子になって噴出され、このような液体粒子が皮膚に吸収されやすい。
【００１５】
（２）測定電極ユニットを皮膚に接触することにより、皮膚の含水量及び皮膚弾力性（又は、皮膚柔軟性）が推測され、ユーザーは液体を皮膚にスプレーするかどうかの必要性を判断することが可能である。
【００１６】
（３）液体の噴霧をしたくないときには、回転具を回転することにより、噴霧口がケース部内に収納されてケース部に隠される。これにより、噴霧装置を長時間に外気に置いても、噴霧口が汚染されない。
【００１７】
（４）毛細管部により、液体が収容空間から圧電発振子に送られることにより、圧電発振子の設置位置が制限されなくなって、機構の設計が容易となる。
【図面の簡単な説明】
【００１８】
【図１】本考案の皮膚測定機能付き噴霧装置の実施例１を示す斜視図である。
【図２】図１の構造を示す分解斜視図である。
【図３】図１の皮膚測定機能付き噴霧装置の使用状態を示す模式図１である。
【図４】図１の皮膚測定機能付き噴霧装置の使用状態を示す模式図２である。
【図５】本考案の皮膚測定機能付き噴霧装置の実施例２の構造を示す分解斜視図である。
【考案を実施するための形態】
【００１９】
以下、本考案の実施の形態を図面に基づいて説明する。
【００２０】
（実施例１）
図１は本考案の皮膚測定機能付き噴霧装置の実施例１を示す斜視図であり、図２はその構造を示す分解斜視図である。図１及び図２を参照すると、実施例１の皮膚測定機能付き噴霧装置は、容器１０、液体２０、噴霧口３０、ディスプレイ４０、測定電極ユニット５０とを有する構成である。
【００２１】
容器１０は、開口１１と、開口１１と連通する収容空間１２とがあり、収容空間１２に液体２０が収容される。噴霧口３０は、開口１１に設けられており、液体２０に接触する圧電発振子を有している。圧電発振子による高周波振動により、液体２０が液状粒子２１になって噴霧口３０から容器１０の外部に排出される。本実施例の容器１０は、ヘッド部１３、ケース部１４、液体収容部１５でなっていて、ヘッド部１３のケース部１４から遠ざかった側には、回転具１３１が設けられている。回転具１３１はヘッド部１３から突出する。開口１１はヘッド部１３に位置する。開口１１に設けられている噴霧口３０はヘッド部１３に位置する。ケース部１４は第１開口１４１を有し、第１開口１４１にヘッド部１３が摺動可能に嵌められる。液体収容部１５は、ケース部１４の内部に組み込まれ、第１開口１４１と連通する第２開口１５１を有する。収容空間１２は、液体収容部１５の内部となり、第２開口１５１と連通する。液体２０は、液体収容部１５の収容空間１２に入れられる。
【００２２】
本考案の液体２０は、皮膚を保湿、又は保護する効果を有する液体であり、本考案は特に限定するものではなく、必要によって皮膚に対して化学効果を有する液体全般を包含するものである。本考案の圧電発振子は、圧電原理を利用して、高周波に振動可能な装置を指し、高周波圧電シートでもよく、あるいは高周波圧電フィルムでもよい。
【００２３】
本実施例の噴霧装置は、更に、収容空間１２に毛細管部７０を有している。毛細管部７０は、一端部が液体２０と接触し、他端部が噴霧口３０に延びている形態で、毛細現象により収容空間１２中の液体２０が噴霧口３０の圧電発振子に送られる。これにより、液体２０が圧電発振子に付着して、圧電発振子が発する高周波振動により液状粒子２１となって容器１０の外部に排出される。毛細管部７０は、毛細現象を利用して液体２０を圧電発振子に送ることが可能なものであればよく、その形態は限定されるものではないが、例えば、綿棒のように細長い綿状のものである。
【００２４】
ディスプレイ４０は、水分表示域４１、弾性表示域４２、電量表示域４３を有し、容器１０の外面に設けられる。測定電極ユニット５０は、第１電極５１と第２電極５２とでなり、ディスプレイ４０と電気的に接続されて容器１０の外部に面して取付けられる。好ましくは、測定電極ユニット５０は、ヘッド部１３から遠ざかった側に取付けられる。
実施例１の噴霧装置は、更に、ユニバーサル・シリアル・バス６０を含む電力ユニットが、ディスプレイ４０と電気的に接続されて、容器１０に取付けられ、ディスプレイ４０に電力を供給することができる。すなわち、外部の電力から、ユニバーサル・シリアル・バス６０を介して電力ユニットを充電することが可能である。ユニバーサル・シリアル・バス６０は、特に限定するものではないが、好ましくは小型のユニバーサル・シリアル・バスが用いられる。
【００２５】
図３及び図４は、本考案の皮膚測定機能付き噴霧装置の使用状態を示す模式図である。図３は使用状態を説明する模式図１であり、ユーザーが皮膚の状態を測定するときの状態を示している。ユーザーが皮膚８０の含水量や皮膚弾力性を測定したいとき、測定電極ユニット５０の第１電極５１と第２電極５２を同時に皮膚８０に直接接触する。すると、皮膚８０を介して第１電極５１と第２電極５２が導電経路５３を形成し、皮膚の状態に依存した導電経路５３により、皮膚８０の生理的インピーダンスを測定して、皮膚８０の導電率を得ることができる。この導電率から皮膚の含水量及び皮膚弾力性に換算して、それぞれディスプレイ４０の水分表示域４１と弾性表示域４２に表示する。このとき、噴霧口３０が使用されていない。すなわち、ユーザーは、回転具１３１を回転することにより、ヘッド部１３が下方へ移動して、噴霧口３０が第１開口１４１に進入してケース部１４内に位置して（第１位置）、ケース部１４に隠される。これにより、噴霧装置を長時間に大気に置いても、噴霧口３０が汚染されない。図３に示す第１電極５１と第２電極５２との形状及び位置は、本考案を説明するために挙げた例であり、本考案はこれらに限定されない。第１電極５１と第２電極５２は、実際の必要によって、その他の形状を呈し、又はその他の位置に位置してもよい。
【００２６】
図４は使用状態を説明する模式図２であり、ユーザーが噴霧するときの状態を示している。ユーザーは、噴霧口３０によって皮膚８０に噴霧したいとき、回転具１３１を回転する。すると、ヘッド部１３が上方へ移動して、噴霧口３０が第１開口１４１を離れてケース部１４の外部に位置して（第２位置）、噴霧口３０が外部に露出するようになる。このとき、圧電発振子を発振することにより、液状粒子２１が噴出されて皮膚８０に付着する。このように、液状粒子２１は、圧電発振子により微細となり、皮膚８０に対して吸収を良くすることが可能である。
【００２７】
（実施例２）
図５は、本考案の皮膚測定機能付き噴霧装置の実施例２の構造を示す分解斜視図である。実施例１と相違する点は、容器１０ａが、ケース部１４ａと、ケース部１４ａ内に設けられた液体収容部１５ａとでなることにある。ケース部１４ａに設けられているカバー１４２を開けると、そこに液体収容部１５ａが在る形態である。液体２０ａは、液体収容部１５ａの収容空間１２ａに収容される。開口１１ａは液体収容部１５ａに設けられている。液体収容部１５ａにおいて、液体２０ａが開口１１ａに設けられている噴霧口３０ａに直接に接触するため、液状粒子２１が容器１０ａの外部に排出される。
【産業上の利用可能性】
【００２８】
本考案は、乾燥による皮膚の荒れを防ぐ液体を噴霧する噴霧装置に広く適用することができる。
【符号の説明】
【００２９】
１０、１０ａ：容器
１１、１１ａ：開口
１２、１２ａ：収容空間
１３：ヘッド部
１４、１４ａ：ケース部
１５、１５ａ：液体収容部
２０、２０ａ：液体
２１：液状粒子
３０、３０ａ：噴霧口
４０：ディスプレイ
４１：水分表示域
４２：弾性表示域
４３：電量表示域
５０：測定電極ユニット
５１：第１電極
５２：第２電極
５３：導電経路
６０：ユニバーサル・シリアル・バス
７０：毛細管部
８０：皮膚
１３１：回転具
１４１：第１開口
１４２：カバー
１５１：第２開口
【図１】
0003196599.tif 000003
【図２】
0003196599.tif 000004
【図３】
0003196599.tif 000005
【図４】
0003196599.tif 000006
【図５】
0003196599.tif 000007